(57)【特許請求の範囲】
【請求項１】
手摺の複数支柱間に掛け渡される中空体の横桟を、その中空先端部を支柱に設けられた保持開口部に嵌入させて取り付ける手摺の横桟取付構造であって、横桟の中空先端部には、樹脂製キャップが、その嵌入凸部が嵌入されるとともにその頭部が外側に突出した状態で取り付けられ、樹脂製キャップが取り付けられた横桟全体の長さが樹脂製キャップの頭部の厚さ分だけ支柱間より長くなっており、横桟の中空先端部を支柱の保持開口部に嵌入させた際に、樹脂製キャップが、その頭部裏面が中空先端部の先端面に接触し且つ頭部前面が保持開口部の奥壁面に当接した状態で、中空先端部の先端面と保持開口部の奥壁面との間で弾圧力を受けて、中空先端部を保持開口部内にて保持することを特徴とする手摺の横桟取付構造。
【発明の詳細な説明】
【０００１】
【発明の属する技術分野】
この出願の発明は、手摺の横桟取付構造に関するものである。さらに詳しくは、この出願の発明は、手摺の複数支柱間に掛け渡される横桟の取付けに有用な、ガタツキの無い取付けを実現できる、新しい手摺の横桟取付構造に関するものである。
【０００２】
【従来の技術】
従来、屋内屋外を問わず階段脇などに設けられる手摺は、適宜間隔で立設された複数の支柱上に渡して取り付けられることがしばしばある。
【０００３】
このとき、各支柱間には強度補強などを考慮して横桟を掛け渡す場合があり、その横桟の支柱への取付けにビスを用いることが知られている（たとえば特許文献１参照）。
【０００４】
【特許文献１】
特開平１１−３６４３８号公報
【０００５】
【発明が解決しようとする課題】
しかしながら、ビスを用いる場合では、ビス頭が露見してしまうので、外観上好ましくなく、またビスの緩みでガタツキが生じる恐れもあった。
【０００６】
ビスを用いずに、横桟を支柱へ嵌合させることも考えられるが、やはりガタツキを効果的に抑制できる構造を実現する必要がある。
【０００７】
そこで、この出願の発明は、以上のとおりの事情に鑑み、ビスを用いることなく、ガタツキを効果的に抑制して横桟を支柱に取り付けることのできる、新しい手摺の横桟取付構造を提供することを課題としている。
【０００８】
【課題を解決するための手段】
この出願の発明は、上記の課題を解決するものとして、手摺の複数支柱間に掛け渡される中空体の横桟を、その中空先端部を支柱に設けられた保持開口部に嵌入させて取り付ける手摺の横桟取付構造であって、横桟の中空先端部には、樹脂製キャップが、その嵌入凸部が嵌入されるとともにその頭部が外側に突出した状態で取り付けられ、樹脂製キャップが取り付けられた横桟全体の長さが樹脂製キャップの頭部の厚さ分だけ支柱間より長くなっており、横桟の中空先端部を支柱の保持開口部に嵌入させた際に、樹脂製キャップが、その頭部裏面が中空先端部の先端面に接触し且つ頭部前面が保持開口部の奥壁面に当接した状態で、中空先端部の先端面と保持開口部の奥壁面との間で弾圧力を受けて、中空先端部を保持開口部内にて保持することを特徴とする手摺の横桟取付構造を提供する。これによれば、ビスを用いることなく横桟を支柱に確実に取り付けることができ、且つ樹脂製キャップの存在によりガタツキの発生を効果的に抑制して横桟の保持を実現できるようになる。また、中空体の横桟であるため現場での長さ調整を容易に行え、支柱間の長さに的確に対応させて、よりしっかりとした保持取付けを実現することができる。
【００１１】
【発明の実施の形態】
図１は、この出願の発明の一実施形態を示したものである。
【００１２】
本実施形態では、手摺（１）を支持する支柱（２）に、互いに反対方向に開口した一対の保持開口部（２１）が支柱本体から突出して設けられており、この保持開口部（２１）に対して、中空体である横桟（３）の中空先端部（３１）が嵌入されている。このとき、横桟（３）の中空先端部（３１）には、樹脂製キャップ（４）が、その嵌入凸部（４１）が嵌入されるとともにその頭部（４２）が外側に突出した状態で予め取り付けられており、この樹脂製キャップ（４）の頭部（４２）が支柱（２）の保持開口部（２１）内にてその奥壁面（２１１）に当接している。
【００１３】
樹脂製キャップ（４）の頭部（４２）については、より具体的には、嵌入凸部（４１）が横桟（３）の中空先端部（３１）内に嵌入されるとその裏面が中空先端部（３１）の先端面に接触した状態となり、また支柱（２）の保持開口部（２１）内に嵌入されるとその前面が保持開口部（２１）の奥壁面（２１１）に接触した状態となり、中空先端部（３１）の先端面と保持開口部（２１）の奥壁面（２１１）との間で弾圧力（押圧力とも呼べる）を受けて、中空先端部（３１）を保持開口部（２１）内にてしっかりと保持する。
【００１４】
これにより、横桟（３）は、支柱（２）の保持開口部（２１）の存在により、より具体的には保持開口部（２１）への中空先端部（３１）の嵌入により、ビスを用いることなく確実に支柱（２）に取り付けられ、且つ、樹脂製キャップ（４）の存在により、より具体的には樹脂製キャップ（４）の頭部（４２）の支柱（２）の保持開口部（２１）の奥壁面（２１１）に対する弾圧当接により、保持開口部（２１）内にて中空先端部（３１）のガタツキを効果的に抑制して保持されることとなる。そしてこの取付保持が各支柱（２）間に適用されるので、外観性、安定性ともに優れた横桟（３）および支柱（２）で支持された手摺（１）を実現できるのである。
【００１５】
また、横桟（３）自体は中空体であるため、現場にて各支柱（２）間の長さに合わせた長さ調整を容易に且つ正確に行うことができる。そして、この長さ調整された横桟（３）の中空先端部（３１）に樹脂製キャップ（４）を嵌め込むと、全体の長さが頭部（４２）の厚さ分つまり突出分だけ支柱（２）間より長くなるので、支柱（２）の保持開口部（２１）内にて頭部（４２）が奥壁面（２１１）に押圧されて、中空先端部（３１）つまり横桟（３）のしっかりとした保持を実現できるようになる。もちろん支柱（２）間よりも若干長くして頭部（４２）の弾圧力をさらに増加させてもよい。
【００１６】
なお、このとき当然、樹脂製キャップ（４）の頭部（４２）は保持開口部（２１）内にて弾性変形するので、この弾性変形を確保するために弾性確保用溝（４３）を設けることが好ましい。すなわち、弾性確保用溝（４３）は、頭部（４２）が上記弾圧力を受ける際に自ら変形することで、頭部（４２）の弾性変形を可能ならしめるのである。これにより、頭部（４２）による横桟（３）の保持をより確実ならしめ、且つ頭部（４２）自体の破損や劣化を防げるようになる。この弾性確保用溝（４３）については、たとえば、後述の図７（ａ）にも例示したように、頭部（４２）を上下に分割するように設ける態様を考慮でき、分割された頭部（４２）の上部分および下部分が弾性確保用溝（４３）を潰すように変形可能となる。
【００１７】
さらにまた、支柱（２）の保持開口部（２１）は、奥に向かって小さくすることが好ましい。より具体的には、内側の側壁面（２１２）を奥壁面（２１１）に向けてテーパ−状とし、入口側の開口径より奥側の開口径の方を小さくする。これにより、横桟（３）の中空先端部（３１）を嵌入し易くなり、且つそれに装着されている樹脂製キャップ（４）の頭部（４２）が、奥壁面（２１１）に当接されるだけでなく、テーパ−した側壁面（２１２）にも接触して挟持されることとなるので、より一層効果的にガタツキを防止できるようにもなる。
【００１８】
【実施例】
図２〜図４は各々、この出願の発明の具体的な一実施例を示したものであり、図５〜図７はその実施例で用いられる支柱（２）、横桟（３）および樹脂製キャップ（４）を拡大示したものである。
【００１９】
本実施例では、階段（１０）脇に設けられた腰壁（１１）の笠木（１２）上に複数の支柱（２）を適宜間隔で立設し、各支柱（２）間に上記取付構造を用いて横桟（３）を掛け渡し、最後に各支柱（２）上に手摺（１）を渡して取り付けている。
【００２０】
より具体的には、まず図３に例示したように、複数の支柱（２）を笠木（１２）上に適宜の等間隔Ａで立設する。本実施例では、支柱（２）は下端部に基部（２２）を有しており（図５も参照）、この基部（２２）を介して笠木（１２）に立設される。このとき各支柱（２）の取付け位置芯出しを行う。
【００２１】
次いで、間隔Ａに合わせて中空体の横桟（３）を金ノコ等で切断し、その中空先端部（３１）に樹脂製キャップ（４）を嵌入凸部（４１）を嵌め込んで取り付ける。このとき、樹脂製キャップ（４）の頭部（４２）は中空先端部（３１）から露出している。
【００２２】
続いて、樹脂製キャップ（４）とともに横桟（３）の中空先端部（３１）を支柱（２）の保持開口部（２１）に奥までしっかりと挿入する。このとき、樹脂製キャップ（４）の頭部（４２）が保持開口部（２１）内の奥壁面（２１１）（図５参照）に当接するようにする。本実施例では、保持開口部（２１）は互いに反対方向に開口した一対のものを一体構成としている（図５（ａ）も参照）。なお、横桟（３）を取り付けない一番先頭の支柱（２）の保持開口部（２１）の一端および一番後尾の支柱（２）の保持開口部（２１）の一端には、化粧等を考慮してエンドキャップ（５）を取り付けている（図３中の拡大図参照）。
【００２３】
後は、図４に例示したように、手摺（１）を支柱（２）に渡して取り付ける。
本実施例では、支柱（２）は上端部に支持固定部（２３）を有しており（図５も参照）、この支持固定部（２３）に手摺（１）が乗せられ、ビス（８）によりビス固定される。
【００２４】
支柱（２）の基部（２２）はビス（６）によりビス固定され、さらに化粧等を考慮して基部キャップ（７）が取り付けられる。
【００２５】
図２は以上の完成図であり、従来のようなビスを用いていないので、外観性に優れていることがわかる。この完成図では、手摺（１）の先端に化粧等を考慮した先端手摺（１３）を取り付け、終端にＬ型手摺（１４）を取り付けている。
【００２６】
もちろん、この出願の発明は、上記実施形態および実施例に限定されるものではない。たとえば、上記実施例は階段（１０）脇の手摺（１）についてのものであるが、手摺の設置を必要とする屋上やバルコニーなどにおいても適用できることは言うまでもない。
【００２７】
【発明の効果】
以上詳しく説明したとおり、この出願の発明によって、ビスを用いることなく、ガタツキを効果的に抑制して横桟を支柱に取り付けることのできる、新しい手摺の横桟取付構造が提供される。
【図面の簡単な説明】
【図１】この出願の発明の一実施形態を示した断面図である。
【図２】この出願の発明の一実施例を示した外観斜視図である。
【図３】この出願の発明の一実施例を示した分解斜視図である。
【図４】この出願の発明の一実施例を示した別の分解斜視図である。
【図５】（ａ）〜（ｄ）は、各々、上記実施例で用いられる支柱を拡大示した正面図、側面図、平面図および底面図である。
【図６】（ａ）〜（ｃ）は、各々、上記実施例で用いられる横桟を拡大示した平面図、正面図および側面図である。
【図７】（ａ）（ｂ）は、各々、上記実施例で用いられる樹脂製キャップを拡大示した正面図および側面図である。
【符号の説明】
１  手摺
２  支柱
２１  保持開口部
２１１  奥壁面
２１２  側壁面
２２  基部
２３  支持固定部
３  横桟
３１  中空先端部
４  樹脂製キャップ
４１  嵌入凸部
４２  頭部
４３  弾性確保用溝
５  エンドキャップ
６  ビス
７  基部キャップ
８  ビス
１０  階段
１１  腰壁
１２  笠木
１３  先端手摺
１４  Ｌ型手摺
【図１】
0003695443.tif 000002
【図２】
0003695443.tif 000003
【図３】
0003695443.tif 000004
【図４】
0003695443.tif 000005
【図５】
0003695443.tif 000006
【図６】
0003695443.tif 000007
【図７】
0003695443.tif 000008